(57)【要約】【課題】周囲の外光が激しく変化する場合であっても、液晶パネルでのタッチ位置を検出することのできる表示装置を提供する。【解決手段】タッチ位置検出回路２３は、バックライト３０のオン期間中に検出する検出信号Ｂ（Ｓ１２）からバックライト３０のオフ期間中に検出する検出信号Ｃ（Ｓ１３）を差し引いた差分値Ｄを算出し（Ｓ１４）、表示データＡに基づいて設定された判定閾値Ｖｔｈを上回る部分が差分値Ｄに含まれているか否かを判断する。そして、タッチ位置検出回路２３は、上回る部分が含まれていないと判断する場合には、液晶パネル１０はタッチされていないと判断し、上回る部分が含まれていると判断する場合には、その上回る部分に対応するフォトダイオードの位置を液晶パネル１０でのタッチ位置として検出する（Ｓ１５）。【選択図】図２
2010129059.tif 000002
【特許請求の範囲】
【請求項１】
複数の画素が配列された液晶パネルと、
前記液晶パネルに対し光を照射するバックライトと、
前記バックライトを所定のデューティ比にてオンオフ制御するバックライト駆動部と、
前記液晶パネルのタッチ位置の検出分解能に応じた密度で前記液晶パネルと対向配置されており、前記液晶パネルに入射する外光の強度を検出する複数の光センサと、
前記複数の光センサのうち、前記バックライトのオン期間中に検出する前記外光の強度である第１光強度から前記バックライトのオフ期間中に検出する前記外光の強度である第２光強度を差し引いた差分値が所定の判定閾値を上回る光センサの位置に基づいて、前記液晶パネルでのタッチ位置を検出するタッチ位置検出部とを備えることを特徴とする表示装置。
【請求項２】
請求項１に記載の表示装置において、
前記液晶パネルに表示する表示データの輝度が小さいほど、前記所定の判定閾値を小さく設定する判定閾値設定部をさらに備えることを特徴とする表示装置。
【請求項３】
請求項１に記載の表示装置において、
前記液晶パネルに表示する表示データの輝度が小さいほど大きくなるように、前記差分値を補正する差分値補正部をさらに備えることを特徴とする表示装置。
【請求項４】
請求項３に記載の表示装置において、
前記差分値補正部は、前記表示データの輝度が小さいほど大きな補正係数を前記差分値に乗算することで、前記差分値を補正することを特徴とする表示装置。
【発明の詳細な説明】
【技術分野】
【０００１】
本発明は、液晶パネルでのタッチ位置を検出可能な表示装置に関する。
【背景技術】
【０００２】
従来、例えば特許文献１に記載の技術が知られている。この文献に記載の技術では、フォトダイオードを内蔵する液晶パネル及びバックライトを備え、液晶パネルでのタッチ位置を次のようにして検出している。
【０００３】
例えば昼間等の周囲が明るい状態において、液晶パネルが入力ペンによってタッチされたとする。この場合、外光が入力ペンによって遮光されるため、液晶パネルでのタッチ位置に遮光領域が形成される。この遮光領域に位置するフォトダイオードの出力電流は、タッチ位置以外の非遮光領域に位置するフォトダイオードの出力電流よりも小さい。したがって、出力電流の小さいフォトダイオードの位置に基づいて、液晶パネルでのタッチ位置を検出することが可能となる。
【０００４】
一方、例えば夜間等の周囲が暗い状態において、液晶パネルが入力ペンによってタッチされたとする。この場合、バックライトから照射された光が入力ペンによって反射されるため、液晶パネルでのタッチ位置には照明領域が形成される。この照明領域に位置するフォトダイオードの出力電流は、タッチ位置以外の非照明領域に位置するフォトダイオードの出力電流よりも大きい。したがって、出力電流の大きいフォトダイオードの位置に基づいて、液晶パネルでのタッチ位置を検出すること可能となる。
【特許文献１】特開２００７−２４８８１５号公報
【特許文献２】特開２００８−８３４６５号公報
【発明の開示】
【発明が解決しようとする課題】
【０００５】
しかしながら、上記従来技術では、周囲の環境変化に応じて、液晶パネルでのタッチ位置の検出方法を変更する必要がある。そのため、例えば車載環境等、周囲の外光の変化が激しい場合、使用することは難しい。
【０００６】
なお、例えば特許文献２に記載のように、バックライトをデューティ駆動するとともに、バックライトがオフ状態で液晶パネルでのタッチ位置を検出する技術も知られている。この技術によれば、例えば夜間等の周囲が暗い状態では、外光が無いため、液晶パネルでのタッチ位置を検出することは難しい。
【０００７】
本発明は、上記実情に鑑みてなされたものであって、その目的は、周囲の外光が激しく変化する場合であっても、液晶パネルでのタッチ位置を検出することのできる表示装置を提供することにある。
【課題を解決するための手段】
【０００８】
こうした目的を達成するため、請求項１に記載の技術では、複数の画素が配列された液晶パネルと、前記液晶パネルに対し光を照射するバックライトと、前記バックライトを所定のデューティ比にてオンオフ制御するバックライト駆動部と、前記液晶パネルのタッチ位置の検出分解能に応じた密度で前記液晶パネルと対向配置されており、前記液晶パネルに入射する外光の強度を検出する複数の光センサと、前記複数の光センサのうち、前記バックライトのオン期間中に検出する前記外光の強度である第１光強度から前記バックライトのオフ期間中に検出する前記外光の強度である第２光強度を差し引いた差分値が所定の判定閾値を上回る光センサの位置に基づいて、前記液晶パネルでのタッチ位置を検出するタッチ位置検出部とを備えることを特徴とする。
【０００９】
表示装置としてのこのような構成では、タッチ位置検出部は、バックライトのオン期間中に検出する外光の強度である第１光強度からバックライトのオフ期間中に検出する外光の強度である第２光強度を差し引いた差分値を算出し、この差分値が所定の判定閾値を上回るか否かを判断する。そして、タッチ位置検出部は、複数の光センサのうち、差分値が所定の判定閾値を上回る光センサの位置に基づいて、液晶パネルでのタッチ位置を検出する。これにより、従来技術とは異なり、昼間等の周囲が明るい状態であろうと、夜間等の周囲が暗い状態であろうと、周囲の外光の状態にかかわらず、同一の方法によって液晶パネルでのタッチ位置を検出することができるようになる。したがって、例えば車載環境等、周囲の外光が激しく変化する場合であっても、液晶パネルでのタッチ位置を検出することができるようになる。
【００１０】
ところで、液晶パネルに表示される表示データの輝度は、バックライトから液晶パネルに対して照射された光の透過量によって制御される。詳しくは、表示データの輝度が大きいほど光の透過量は多くなり、表示データの輝度が小さいほど光の透過量は少なくなる。そのため、表示データの輝度が大きい場合、液晶パネルのタッチ位置でより多くの光が反射され、対応する光センサにて検出される第１光強度は大きい一方、表示データの輝度が小さい場合、液晶パネルのタッチ位置でそれほど多くの光が反射されず、対応する光センサにて検出される第１光強度もそれほど大きくない。したがって、表示データの輝度が大きいほど上記差分値は大きくなり、表示データの輝度が小さいほど上記差分値は小さくなる。
【００１１】
上記請求項１に記載の構成においては、上記所定の判定閾値として固定値を採用することも可能である。しかし、このように固定値を採用した場合、特に表示データの輝度が小さいと、液晶パネルが操作されたにもかかわらず上記差分値が判定閾値に達しないことがある。そしてひいては、液晶パネルでのタッチ位置の検出に係る精度が低下することも考えられる。
【００１２】
そこで、上記請求項１に記載の構成において、請求項２に記載の発明のように、前記液晶パネルに表示する表示データの輝度が小さいほど前記所定の判定閾値を小さく設定する判定閾値設定部をさらに備えることが望ましい。これにより、表示データの輝度が小さくても、液晶パネルが操作されれば、上記差分値が判定閾値に達するようになり、液晶パネルでのタッチ位置を検出することができるようになる。
【００１３】
あるいは、上記請求項１に記載の構成において、請求項３に記載の発明のように、前記液晶パネルに表示する表示データの輝度が小さいほど大きくなるように、前記差分値を補正する差分値補正部をさらに備えることが望ましい。これによっても、表示データの輝度が小さくても、液晶パネルがタッチされれば、上記差分値が判定閾値に達するようになるため、液晶パネルでのタッチ位置を検出することができるようになる。
【００１４】
具体的には、上記請求項３に記載の構成において、例えば請求項４に記載の発明のように、前記差分値補正部は、前記表示データの輝度が小さいほど大きな補正係数を前記差分値に乗算することで、前記差分値を補正することとしてもよい。または、前記差分値補正部は、前記表示データの輝度が大きいほど小さな補正係数で前記差分値を乗算することで、前記差分値を補正することとしてもよい。
【発明を実施するための最良の形態】
【００１５】
以下、本発明に係る表示装置の一実施の形態について、図１〜図４を参照しつつ説明する。なお、図１は、本実施の形態の表示装置１について、その全体構成を示す模式図である。はじめに、この図１を参照して表示装置１の構成及び機能について説明する。
【００１６】
図１に示されるように、表示装置１は、液晶パネル１０を備えて構成されており、この液晶パネル１０は、この液晶パネル１０に配列された複数の画素１１、これら複数の画素１１に接続された複数のゲートライン１２、及び、これら複数の画素１１に接続された複数のソースライン１３等々を有して構成されている。なお、図１では、図示の便宜上、単一の画素１１を図示している。
【００１７】
複数のゲートライン１２は、液晶パネル１０に所定間隔で設けられており、複数のソースライン１３は、これら複数のゲートライン１２に交差するように液晶パネル１０に所定間隔で設けられている。そして、複数の画素１１は、これら複数のゲートライン１２とこれら複数のソースライン１３との各交差部にそれぞれ設けられている（配列されている）。
【００１８】
複数の画素１１は、スイッチング素子として機能する画素トランジスタ、画素電極、この画素電極に対向する共通電極、これら画素電極及び共通電極によって挟持される液晶（いずれも図示略）をそれぞれ有している。そして、画素トランジスタのゲート電極には、上記ゲートライン１２が接続され、上記画素トランジスタのソース電極には、上記ソースライン１３が接続され、上記画素トランジスタのドレイン電極には、上記画素電極が接続されている。
【００１９】
ここで、画素トランジスタのゲート電極にゲートライン１２から選択電圧が印加されたとする。この選択電圧が印加されると、画素トランジスタはオンとなり、ソースライン１３及び画素電極間が導通状態となる（画素が選択される）。そして、画素が選択された上で、ソースライン１３から駆動電圧が印加されると、画素１１を構成する画素電極及び共通電極間に挟持された液晶に駆動電圧が印加され、この駆動電圧に応じて、液晶の配向や秩序が変化される。その結果、後述のバックライト３０から液晶パネル１０に照射される光の透過量が変化されることになる。なお、ＬＣＤコントローラ１５は、後述の表示データの輝度が大きいほど光の透過量が多くなるように液晶の配向を制御する一方、後述の表示データの輝度が小さいほど光の透過量が少なくなるように液晶の配向を制御する。
【００２０】
また、表示装置１は、ＬＣＤコントローラ１５、ゲートドライバ１６及びソースドライバ１７を備えて構成されている。ＬＣＤコントローラ１５は、例えば当該表示装置１外の適宜の装置に接続されており、液晶パネル１０上に表示する表示データを取得する。取得すると、ＬＣＤコントローラ１５は、まず、この取得した表示データを液晶パネル１０に表示する上で選択すべき画素１１を判断し、ゲートドライバ１６を介してゲートライン１２に選択電圧を印加する。この選択電圧が印加されると、選択すべき画素１１が選択される。さらに、ＬＣＤコントローラ１５は、ソースドライバ１７を介してソースライン１３に駆動電圧を印加する。この駆動電圧が印加されると、選択された画素１１を構成する液晶の配向が制御され、バックライト３０から液晶パネル１０に照射される光の透過量が制御される。このようにして、液晶パネル１０上に表示データが表示される。なお、液晶パネル１０上に表示データを表示させる構成及びその作動については公知であるため、ここでのこれ以上の説明を割愛する。
【００２１】
また、表示装置１は、図示しない複数の光センサ、第１検出回路２１、第２検出回路、及びタッチ位置検出回路２３等々を備えて構成されている。
【００２２】
詳しくは、複数の光センサは、液晶パネル１０に入射する外光の強度を検出するセンサであり、本実施の形態では、外光を電気信号に変換するフォトダイオードが採用されている。フォトダイオードは上記画素１１ごとに内蔵されており、受光する光の強度が高いほど大きな電流を出力する。なお、フォトダイオードを画素１１ごとに内蔵する必要はなく、液晶パネル１１のタッチ位置の検出分解能に応じた密度で内蔵されればよい。さらには、内蔵される必要もなく、液晶パネル１１と対向配置されればよい。ちなみに、フォトダイオードが特許請求の範囲に記載の光センサに相当する。
【００２３】
第１検出回路２１は、実際には、電流電圧変換回路及びシフトレジスタ回路によって構成されている。そして、第１検出回路２１は、上記複数のフォトダイオードのうち水平方向（Ｘ方向）に配列された複数のフォトダイオードから出力される電流をシリアル形式の電圧信号Ｖ１に変換し、この電圧信号Ｖ１を後述するタッチ位置検出回路２３に出力する。
【００２４】
同様に、第２検出回路２２は、実際には、電流電圧変換回路及びシフトレジスタ回路によって構成されている。そして、第２検出回路２２は、上記複数のフォトダイオードのうち垂直方向（Ｙ方向）に配列された複数のフォトダイオードから出力される電流をシリアル形式の電圧信号Ｖ２に変換し、この電圧信号Ｖ２を後述するタッチ位置検出回路２３に出力する。
【００２５】
なお、これら光センサ、第１検出回路２１及び第２検出回路については公知であるため、ここでのこれ以上詳しい説明を割愛する。
【００２６】
タッチ位置検出回路２３は、上記第１検出回路２１から入力される電圧信号Ｖ１及び上記第２検出回路２２から入力される電圧信号Ｖ２に基づいて、液晶パネル１０でのタッチ位置を検出する回路である。このタッチ位置検出回路２３によって実行されるタッチ位置検出処理については、図２〜図４を参照しつつ後述する。なお、タッチ位置検出回路２３が特許請求の範囲に記載のタッチ位置検出部に相当する。
【００２７】
また、表示装置１は、バックライト３０及び駆動回路３１を備えて構成されている。バックライト３０は、図１では図示の便宜上、液晶パネル１０の右方に配置されているが、実際には、液晶パネル１０の背面に対向配置される公知のライトであり、液晶パネル１０の背面から前面に向けて光を照射する。なお、バックライト３０は、駆動回路３１に接続されており、この駆動回路３１によって所定のデューティ比にてオンオフ制御されている。これにより、バックライト３０から照射される光の強度が制御されている。また、バックライト３０としては、例えばＬＥＤ（Light Emitting Diode）、蛍光ランプ、ＥＬ（エレクトロルミネッセンス）等を採用可能であり、これらデューティ制御可能なライトについては公知であるため、ここでの詳しい説明を割愛する。ちなみに、駆動回路３１が特許請求の範囲に記載のバックライト駆動部に相当する。
【００２８】
図２は、表示装置１によって実行されるタッチ位置検出処理Ｓ１の処理手順を示すフローチャートである。この図２を参照しつつ、表示装置１を構成するタッチ位置検出回路２３によって実行されるタッチ位置検出処理について説明する。なお、バックライト３０は、駆動回路３１によって所定のデューティ比によってオンオフ制御されており、液晶パネル１０は、このデューティ比に対応する強度の光がバックライト３０から照射されているものとする。また、このタッチ位置検出処理Ｓ１は所定周期毎に繰り返し実行されているものとする。
【００２９】
タッチ位置検出処理Ｓ１が開始されると、タッチ位置検出回路２３は、ステップＳ１１の処理として、液晶パネル１０に表示される表示データＡを取得する。詳しくは、タッチ位置検出回路２３は、上記ＬＣＤコントローラ１５と同様に、当該表示装置１外の適宜の装置に接続されており、この適宜の装置から表示データＡを取得する。
【００３０】
ここで、バックライト３０から液晶パネル１０に入射される光が例えばユーザの指等によって反射される反射光の強度は、表示データＡの輝度が大きい（明るい）ほど、より多くの光を反射することができるようになるため、大きくなる。一方、反射光の強度は、表示データＡの輝度が小さい（暗い）ほど、ほとんど光を反射することができなくなるため、小さくなる。そのため、タッチ位置検出回路２３は、表示データＡを取得すると、この表示データＡの輝度が大きいほど大きな判定閾値Ｖｔｈを設定するとともに、この表示データＡの輝度が小さいほど小さな判定閾値Ｖｔｈを設定する。なお、タッチ位置検出回路２３は、特許請求の範囲に記載の判定閾値設定部に相当する。
【００３１】
表示データＡを取得し、判定閾値Ｖｔｈを設定すると、タッチ位置検出回路２３は、次に、続くステップＳ１２の処理として、バックライト３０のオン期間中に検出信号Ｂを取得するとともに、続くステップＳ１３の処理として、バックライト３０のオフ期間中に検出信号Ｃを取得する。
【００３２】
詳しくは、タッチ位置検出回路２３は、第１検出回路２１及び第２検出回路２２並びに駆動回路３１にそれぞれ接続されている。タッチ位置検出回路２３は、バックライト３０をオン制御する期間及びオフ制御する期間に関する情報を駆動回路３１から取得し、バックライト３０のオン期間及びオフ期間を判断する。そして、タッチ位置検出回路２３は、判断したバックライト３０のオン期間中に、上記電圧信号Ｖ１及びＶ２を検出信号Ｂとして取得する（ステップＳ１２の処理）。さらに、タッチ位置検出回路２３は、判断したバックライト３０のオフ期間中に、上記電圧信号Ｖ１及びＶ２を検出信号Ｃとして取得する（ステップＳ１３の処理）。なお、バックライト３０のオン期間中に取得される検出信号Ｂが特許請求の範囲に記載の第１光強度に相当し、バックライト３０のオフ期間中に取得される検出信号Ｃが特許請求の範囲に記載の第２光強度に相当する。
【００３３】
こうして検出信号Ｂ及び検出信号Ｃを取得すると、タッチ位置検出回路２３は、続くステップＳ１４の処理として、検出信号Ｂから検出信号Ｃを差し引くことで差分値を算出する。詳しくは、タッチ位置検出回路２３は、バックライト３０のオン期間中に取得された電圧信号Ｖ１からバックライト３０のオン期間中に取得された電圧信号Ｖ１を差し引いた差分値、及び、バックライト３０のオン期間中に取得された電圧信号Ｖ２からバックライト３０のオン期間中に取得された電圧信号Ｖ２を差し引いた差分値を、差分値Ｄとして算出する。
【００３４】
こうして差分値Ｄを算出すると、タッチ位置検出回路２３は、続くステップＳ１５の処理として、タッチ位置を検出する。詳しくは、タッチ位置検出回路２３は、差分値Ｄに所定の判定閾値Ｖｔｈを上回る部分が含まれているか否かを判断する。そして、タッチ位置検出回路２３は、上回る部分が含まれていないと判断する場合には、液晶パネル１０はタッチされていないと判断し、上回る部分が含まれていると判断する場合には、その上回る部分に対応するフォトダイオードの位置を液晶パネル１０でのタッチ位置として検出する。
【００３５】
次に、図３を参照しつつ、例えば昼間等の周囲が明るい状態における表示装置１の動作について説明する。
【００３６】
図３（ａ）に示されるように、バックライト３０は、駆動回路３１によって、所定のデューティ比にてオンオフ制御されていたとする。
【００３７】
ここで、例えば時刻ｔ１から時刻ｔ２の期間（図３（ａ））、すなわち、バックライト３０のオフ期間中に、タッチ位置検出回路２３は電圧信号Ｖ１及び電圧信号Ｖ２を検出信号Ｃとして取得する。図３（ｃ）に、このオフ期間中に検出される検出信号Ｃのうち電圧信号Ｖ１のＸ方向に沿った推移を示す。なお、図３及び後述の図４においては、表示データＡの輝度が大きい（明るい）場合を実線にて、表示データＡの輝度が小さい（暗い）場合を破線にてそれぞれ示している。
【００３８】
液晶パネル１０のタッチされていない箇所に位置するフォトダイオードは外光を受光することができ、受光した外光の強度に応じた大きさの電流を出力する。一方、液晶パネル１０のタッチされている箇所に位置するフォトダイオードは、外光を受光することができないため、電流を出力しない。その結果、図３（ｃ）に示されるように、検出信号Ｃは、液晶パネル１０がタッチされていない箇所では外光の強度に応じた大きさとなり、液晶パネル１０がタッチされている箇所では零となる。
【００３９】
また、例えば時刻ｔ２から時刻ｔ３の期間（図３（ａ））、すなわち、バックライト３０のオン期間中に、タッチ位置検出回路２３は電圧信号Ｖ１及び電圧信号Ｖ２を検出信号Ｂとして取得する。図３（ｂ）に、このオン期間中に検出される検出信号Ｂのうち電圧信号Ｖ１のＸ方向に沿った推移を示す。
【００４０】
液晶パネル１０のタッチされていない箇所に位置するフォトダイオードは外光を受光することができ、受光した外光の強度に応じた大きさの電流を出力する。一方、液晶パネル１０のタッチされている箇所に位置するフォトダイオードは、バックライト３０から照射されてユーザの指等に反射された光を受光することができ、その反射光の強度に応じた大きさの電流を出力する。その結果、図３（ｂ）に示されるように、検出信号Ｂは、液晶パネル１０がタッチされていない箇所では外光の強度に応じた大きさとなり、液晶パネル１０がタッチされている箇所では反射光の強度に応じた大きさとなる。
【００４１】
図３（ｄ）は、上記検出信号Ｂから上記検出信号Ｃを差し引いた差分値ＤのＸ方向に沿った推移を示す図である。上述したように、上記検出信号Ｂも上記検出信号Ｃも、液晶パネル１０がタッチされていない箇所においては、外光の強度の大きさに応じた大きさとなる。そのため、図３（ｄ）に示すように、差分値Ｄは、液晶パネル１０がタッチされていない箇所においては、零となる。一方、これも上述したように、上記検出信号Ｂは、液晶パネル１０がタッチされている箇所においては、反射光の強度の大きさに応じた大きさとなり、上記検出信号Ｃは、液晶パネル１０がタッチされている箇所においては、零となる。そのため、図３（ｄ）に示すように、差分値Ｄは、液晶パネル１０がタッチされている箇所においては、反射光の強度の大きさに応じた大きさとなっている。このようにして、差分値Ｄのうち所定の判定閾値Ｖｔｈを上回る部分に対応するフォトダイオードの位置が液晶パネル１０でのタッチ位置として検出されることになる。
【００４２】
次に、図４を参照しつつ、例えば夜間等の周囲が明るい状態における表示装置１の動作について説明する。
【００４３】
図４（ａ）に示されるように、バックライト３０は、駆動回路３１によって、所定のデューティ比にてオンオフ制御されていたとする。
【００４４】
ここで、例えば時刻ｔ１から時刻ｔ２の期間（図４（ａ））、すなわち、バックライト３０のオフ期間中に、タッチ位置検出回路２３は電圧信号Ｖ１及び電圧信号Ｖ２を検出信号Ｃとして取得する。図４（ｃ）に、このオフ期間中に検出される検出信号Ｃのうち電圧信号Ｖ１のＸ方向に沿った推移を示す。
【００４５】
液晶パネル１０のタッチされていない箇所に位置するフォトダイオードは外光を受光することができ、受光した外光の強度に応じた大きさの電流を出力する。ただし、夜間であるので外光を受光せず、電流の大きさは零となる。一方、液晶パネル１０のタッチされている箇所に位置するフォトダイオードは、外光を受光することができないため、電流の大きさは零となる。その結果、図４（ｃ）に示されるように、検出信号Ｃは、液晶パネル１０がタッチされていない箇所であろうと、液晶パネル１０がタッチされている箇所であろうと、零となる。
【００４６】
また、例えば時刻ｔ２から時刻ｔ３の期間（図４（ａ））、すなわち、バックライト３０のオン期間中に、タッチ位置検出回路２３は電圧信号Ｖ１及び電圧信号Ｖ２を検出信号Ｂとして取得する。図４（ｂ）に、このオン期間中に検出される検出信号Ｂのうち電圧信号Ｖ１のＸ方向に沿った推移を示す。
【００４７】
液晶パネル１０のタッチされていない箇所に位置するフォトダイオードは外光を受光することができ、受光した外光の強度に応じた大きさの電流を出力する。ただし、夜間であるので外光を受光せず、電流の大きさは零となる。一方、液晶パネル１０のタッチされている箇所に位置するフォトダイオードは、バックライト３０から照射されてユーザの指等に反射された光を受光することができ、その反射光の強度に応じた大きさの電流を出力する。その結果、図４（ｂ）に示されるように、検出信号Ｂは、液晶パネル１０がタッチされていない箇所では零となり、液晶パネル１０がタッチされている箇所では反射光の強度に応じた大きさとなる。
【００４８】
図４（ｄ）は、上記検出信号Ｂから上記検出信号Ｃを差し引いた差分値ＤのＸ方向に沿った推移を示す図である。上述したように、上記検出信号Ｂも上記検出信号Ｃも、液晶パネル１０がタッチされていない箇所においては、外光の強度の大きさに応じた大きさとなる。そのため、図４（ｄ）に示すように、差分値Ｄは、液晶パネル１０がタッチされていない箇所においては、零となる。一方、これも上述したように、上記検出信号Ｂは、液晶パネル１０がタッチされている箇所においては、反射光の強度の大きさに応じた大きさとなり、上記検出信号Ｃは、液晶パネル１０がタッチされている箇所においては、零となる。そのため、図４（ｄ）に示すように、差分値Ｄは、液晶パネル１０がタッチされている箇所においては、反射光の強度の大きさに応じた大きさとなる。このようにして、差分値Ｄのうち所定の判定閾値Ｖｔｈを上回る部分に対応するフォトダイオードの位置が液晶パネル１０でのタッチ位置として検出されることになる。
【００４９】
以上説明したように、本実施の形態の表示装置１では、タッチ位置検出回路２３は、バックライト３０のオン期間中に検出する検出信号Ｂからバックライト３０のオフ期間中に検出する検出信号Ｃを差し引いた差分値Ｄを算出し、表示データＡに基づいて設定された判定閾値Ｖｔｈを上回る部分が差分値Ｄに含まれているか否かを判断する。そして、タッチ位置検出回路２３は、上回る部分が含まれていないと判断する場合には、液晶パネル１０はタッチされていないと判断し、上回る部分が含まれていると判断する場合には、その上回る部分に対応するフォトダイオードの位置を液晶パネル１０でのタッチ位置として検出する。これにより、従来技術とは異なり、昼間等の周囲が明るい状態であろうと、夜間等の周囲が暗い状態であろうと、周囲の外光の状態にかかわらず、同一の方法によって液晶パネル１０でのタッチ位置を検出することができるようになる。したがって、例えば車載環境等、周囲の外光が激しく変化する場合であっても、液晶パネル１０でのタッチ位置を検出することができるようになる。
【００５０】
なお、本発明に係る表示装置は、上記実施の形態にて例示した構成に限定されるものではなく、本発明の趣旨を逸脱しない範囲において、種々に変形して実施することが可能である。すなわち、上記実施の形態を適宜変更した例えば次の形態として実施することもできる。
【００５１】
上記実施の形態では、タッチ位置検出回路２３は、表示データＡに基づいて設定された判定閾値Ｖｔｈを上回る部分に対応するフォトダイオードの位置を液晶パネル１０でのタッチ位置として検出していたが、これに限らない。
【００５２】
既述したように、バックライト３０から液晶パネル１０に入射される光の反射光の強度は、表示データＡの輝度が大きいほど大きくなる一方、表示データＡの輝度が小さいほど小さくなる。そのため、先の図３（ｄ）及び図４（ｄ）にて実線及び破線にて示したように、表示データＡの輝度が大きいほど差分値Ｄは大きくなる一方、表示データＡの輝度が小さいほど差分値Ｄは小さくなる。
【００５３】
表示データＡの輝度によって変化する差分値Ｄに対する判定閾値Ｖｔｈとして、固定値を採用することも可能ではある。しかしながら、固定値を採用した場合、特に表示データＡの輝度が小さいと、液晶パネル１０がタッチされたにもかかわらず、判定閾値Ｖｔｈを上回る部分として上記差分値Ｄに現れないことがあり、そしてひいては、液晶パネル１０でのタッチ位置の検出に係る精度が低下することも考えられる。
【００５４】
そこで、タッチ位置検出回路２３は、図２に示すタッチ位置検出処理Ｓ１に替えて、図５に示すタッチ位置検出処理Ｓ１ａを実行することとしてもよい。具体的には、タッチ位置検出回路２３は、ステップＳ２５の処理として、表示データＡの輝度が小さいほど大きな補正係数を差分値Ｄに乗算することで、差分値Ｄを補正する。この補正により、差分値Ｄに含まれる小さな部分（特に、表示データＡの輝度が小さい場合のタッチ位置）はより大きく補正され、差分値Ｄに含まれる大きな部分（特に、表示データＡの輝度が大きい場合のタッチ位置）は、より小さく補正される。また、差分値Ｄに含まれる零の部分はそのまま零とされる。したがって、先の図３（ｄ）あるいは図４（ｄ）に示した差分値Ｄは、図６に示すように、表示データＡの輝度が大きい場合であれ、表示データＡの輝度が小さい場合であれ、タッチ位置における大きさを同一の大きさにすることができるようになる。そして、タッチ位置検出回路２３は、ステップＳ１５ａの処理として、この補正値に基づきタッチ位置を検出することとしてもよい。なお、この変形例におけるタッチ位置検出回路２３が特許請求の範囲の差分値補正部に相当する。
【００５５】
なお、タッチ位置検出回路２３は、表示データＡの輝度が大きいほど小さな補正係数を差分値Ｄに乗算することで差分値Ｄを補正してもよい。あるいは、表示データＡの輝度が大きいほど大きな補正係数で差分値Ｄを除算することで差分値Ｄを補正してもよい。要は、表示データＡの輝度にかかわらず、判定閾値Ｖｔｈを固定値に設定することができる補正であれば、任意である。
【図面の簡単な説明】
【００５６】
【図１】本発明に係る表示装置の一実施の形態について、その全体構成を示す模式図である。
【図２】上記実施の形態によって実行されるタッチ位置検出処理について、その処理手順を示すフローチャートである。
【図３】昼間における動作について、（ａ）はバックライトのオンオフ状態を示すタイミングチャートである。（ｂ）はバックライトのオン期間中に検出される検出信号ＢのＸ方向に沿った推移を示す図である。（ｃ）はバックライトのオフ期間中に検出される検出信号ＢのＸ方向に沿った推移を示す図である。（ｄ）は検出信号Ｂから検出信号Ｃを差し引いた差分値ＤのＸ方向に沿った推移を示す図である。
【図４】夜間における動作について、（ａ）はバックライトのオンオフ状態を示すタイミングチャートである。（ｂ）はバックライトのオン期間中に検出される検出信号ＢのＸ方向に沿った推移を示す図である。（ｃ）はバックライトのオフ期間中に検出される検出信号ＢのＸ方向に沿った推移を示す図である。（ｄ）は検出信号Ｂから検出信号Ｃを差し引いた差分値ＤのＸ方向に沿った推移を示す図である。
【図５】タッチ位置検出処理の変形例について、その処理手順を示すフローチャートである。
【図６】差分値Ｄを補正した補正値のＸ方向に沿った推移を示す図である。
【符号の説明】
【００５７】
１…表示装置、１０…液晶パネル、１１…画素、１２…ゲートライン、１３…ソースライン、１５…ＬＣＤコントローラ、１６…ゲートドライバ、１７…ソースドライバ、２１…第１検出回路、２２…第２検出回路、２３…タッチ位置検出回路（タッチ位置検出部）、３０…バックライト、３１…駆動回路（バックライト駆動部）
【図１】
2010129059.tif 000003
【図２】
2010129059.tif 000004
【図３】
2010129059.tif 000005
【図４】
2010129059.tif 000006
【図５】
2010129059.tif 000007
【図６】
2010129059.tif 000008